【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
留め具組立体において、
頭部および下側部分を有する留め部材であって、前記下側部分は、骨部材との係合のために前記頭部から延びている、留め部材と、
前記留め部材の前記頭部に枢動連結された連結部材であって、当該連結部材は、前記頭部を受け入れるための内側容器を画定する下側受入部分、および前記頭部から遠ざかるように前記下側受入部分から延びる柱を有し、前記柱が係止部材を係合するように構成され、前記下側受入部分が、前記連結部材の外部と連通する少なくとも１つの側壁開口を画定する、連結部材と、
前記留め部材の前記頭部の周囲で、前記連結部材の前記容器内に配置される冠状体であって、当該冠状体は、前記連結部材の前記柱の周囲に位置するインプラント部材と接触して配置するために、前記少なくとも１つの側壁開口と連通する座部分を含み、それによって前記インプラント部材を前記係止部材と前記座部分との間に固定する、冠状体と、を含む留め具組立体。
【請求項２】
前記留め部材の前記下側部分がネジ付きのシャフトを含む、請求項１に記載の組立体。
【請求項３】
前記留め部材が、前記頭部と前記ネジ付きのシャフトとの間に、ネジ切りのない頸部部分を含む、請求項２に記載の組立体。
【請求項４】
前記頸部部分の周囲に位置して、前記連結部材と前記頭部の間に延びるクリップをさらに含み、前記クリップが前記頭部を通る前記頭部の通過を阻止することで前記連結部材内に前記留め部材を保持するような大きさで作られる、請求項３に記載の組立体。
【請求項５】
前記頭部が、当該頭部の周囲を延びる複数の隆線を有し、当該複数の隆線が前記冠状体に向いて配置される、請求項１に記載の組立体。
【請求項６】
前記インプラントが前記係止部材で前記座部分に当てて固定されると、前記複数の隆線が前記冠状体を係合させ、前記隆線と前記冠状体との間の前記係合により、前記留め部材が前記連結部材に対して枢動することを阻止する、請求項５に記載の組立体。
【請求項７】
前記冠状体の前記座部分が前記座部分から延びる複数のアームを有し、前記連結部材の前記少なくとも１つの側壁開口が対向する開口窓を含み、前記複数のアームが前記対向する開口窓のそれぞれを通って位置する、請求項１に記載の組立体。
【請求項８】
前記冠状体が前記座部分から延びるカップ部分を有し、前記カップ部分が容器を有し、前記容器は、当該容器内に前記留め部材の前記頭部を受け入れるためのものである、請求項７に記載の組立体。
【請求項９】
前記冠状体が前記座部分を通って前記カップ部分の前記容器の中に延びる貫通孔を有する、請求項８に記載の組立体。
【請求項１０】
前記柱が、周囲に前記係止部材をネジ式に受け入れるための外側ネジを有する、請求項１に記載の組立体。
【請求項１１】
前記係止部材が、中央の穴の周囲に延びる壁を有する本体を含み、前記中央の穴が、前記係止部材が前記柱に係合させられると前記柱を受け入れ、前記壁が長穴を有し、前記長穴が、前記壁を横断して通って前記穴へと延びて、前記穴と連通する、請求項１０に記載の組立体。
【請求項１２】
前記柱がその長さに沿って延びる対向した平坦表面を有し、これらが対向したアーチ形のネジ付き表面によって相互接続される、請求項１に記載の組立体。
【請求項１３】
前記柱が前記容器と連通する軸方向通路を画定する、請求項１に記載の組立体。
【請求項１４】
脊椎の板取付システムにおいて、
細長の板部材であって、上側表面と、脊柱に沿って配置可能な対向する下側表面との間で、前記板部材を貫通して延びる少なくとも１つの開口を有する、板部材と、
前記板部材に係合可能な留め具組立体とを含んでおり、
前記留め具組立体は、
柱および受入部分を有する連結部材であって、前記柱は前記少なくとも１つの開口を通して配置可能であり、前記受入部分は、前記板部材の前記下側表面に隣接して配置可能であり、前記受入部分は容器を有する、連結部材と、
頭部および下側部分を有する留め部材であって、前記頭部は、前記受入部分の前記容器内に枢動捕捉され、前記下側部分は、前記脊柱の骨構造を係合させるために、前記頭部から延びる、留め部材と、
前記容器内で前記頭部に隣接して配置された冠状体であって、前記板部材の前記下側表面に沿って、前記連結部材を通って延びる座部分を有する、冠状体と、
前記柱に係合可能な係止部材であって、前記板部材の前記下側表面を前記冠状体の前記座部分と接触させて固定するように、前記板部材の前記上側表面と接触させて配置可能である、係止部材と、を含む脊椎の板取付システム。
【請求項１５】
前記連結部材が少なくとも１つの開口窓を有し、前記座部分が前記少なくとも１つの開口窓を通って突き出る、請求項１４に記載のシステム。
【請求項１６】
前記連結部材が対向する開口窓を有し、前記座部分が、前記対向する開口窓のそれぞれを通って突き出る対向するアームを有する、請求項１４に記載のシステム。
【請求項１７】
前記留め部材の前記下側部分がネジ付きのシャフトを有する、請求項１４に記載のシステム。
【請求項１８】
前記留め部材が、前記頭部と前記ネジ付きのシャフトの間にネジ切りのない頸部部分を有する、請求項１７に記載のシステム。
【請求項１９】
前記頸部部分の周囲に位置して前記連結部材と前記頭部の間に延びるクリップをさらに含み、前記クリップが前記頭部を通る前記頭部の通過を阻止することで、前記連結部材の前記容器内に前記留め部材を保持するような大きさで作られる、請求項１８に記載のシステム。
【請求項２０】
前記頭部が、前記冠状体に隣接して、前記頭部の周囲を延びる複数の隆線を有する、請求項１４に記載のシステム。
【請求項２１】
前記板部材が前記係止部材で前記座部分に当てて固定されるとき、前記複数の隆線が前記冠状体と係合し、前記隆線と前記冠状体との間の前記係合により、前記留め部材が前記連結部材に対して枢動することを阻止する、請求項２０に記載のシステム。
【請求項２２】
前記冠状体が前記座部分から延びるカップ部分を有し、前記カップ部分が中に前記留め部材の前記頭部を受け入れるための容器を有する、請求項２１に記載のシステム。
【請求項２３】
前記冠状体が、前記座部分を通って前記カップ部分の前記容器の中に延びる貫通孔を有する、請求項２２に記載のシステム。
【請求項２４】
前記柱が、周囲に前記係止部材をネジ式に受け入れるために、前記柱に沿って延びる外側ネジを有する、請求項１４に記載のシステム。
【請求項２５】
前記係止部材が、前記柱を受け入れるために中央の穴の周囲に延びる壁を有する本体を含み、前記壁が長穴を有し、前記長穴が、前記壁を横断して通って前記穴へと延びて、前記穴と連通するする、請求項２４に記載のシステム。
【請求項２６】
前記板部材の前記少なくとも１つの開口が細長の長穴を有する、請求項１４に記載のシステム。
【請求項２７】
前記板部材が、前記細長の長穴へと横方向に延びる通路を画定する棒受入部分を有し、前記通路がそれを通る棒を受け入れる、請求項２６に記載のシステム。
【請求項２８】
前記板部材が前記上側および下側表面に沿ってアーチ形輪郭を有する、請求項１４に記載のシステム。
【請求項２９】
前記板部材が、当該板部材に沿って複数の長穴を有する、請求項１４に記載のシステム。
【請求項３０】
脊椎の板取付システムにおいて、
縦軸に沿って延びる細長の板部材であって、前記板部材は少なくとも１つの開口を有し前記開口は、上側表面と、脊柱に向かって配置可能な対向する下側表面の間で、前記板部材を貫通して延びる、板部材と、
前記板部材に係合可能な留め具組立体とを含んでおり、
前記留め具組立体は、
柱を含む連結部材であって、前記柱は、前記少なくとも１つの開口を通して配置可能であり、かつ前記板部材と係合可能であることにより、前記連結部材は、前記板部材に対して枢動せず、前記連結部材は、前記板部材の前記下側表面に沿って配置可能な受入部分を含み、前記受入部分は、前記板部材から遠ざかる方向に開いた容器を有する、連結部材と、
頭部を含む留め部材であって、前記頭部は、前記受入部分の前記容器内で枢動的に捕捉され、前記留め部材は下側部分を含み、当該下側部分は、前記脊柱の骨構造と係合するために前記頭部から延び、前記柱が前記少なくとも１つの開口内で前記板部材に係合すると、前記留め部材は、前記板部材および前記受入部分に対して枢動する、留め部材と、を有する、脊椎の板取付システム。
【請求項３１】
前記留め具組立体が、
前記連結部材の前記容器内で、前記留め部材の前記頭部に隣接して配置され、前記板部材の前記下側表面に沿って前記連結部材を通って延びる座部分を有する冠状体と、
前記柱に係合可能であり、前記板部材の前記下側表面を前記冠状体の前記座部分と接触させて固定するように、前記板部材の前記上側表面と接触させて配置可能である係止部材と、を有する請求項３０に記載のシステム。
【請求項３２】
前記連結部材が前記容器の中へと開いた対向する開口窓を有し、前記冠状体の前記座部分が前記開口窓を通って延びる、請求項３１に記載のシステム。
【請求項３３】
前記板部材の前記下側表面を前記座部分に当てて堅く係合させ、それによって前記冠状体を前記留め部材の前記頭部に当てて係合させるために、前記係止部材が前記板部材の前記上側表面と接触して配置されると、前記留め部材が前記受入部分内で非枢動係合する、請求項３１に記載のシステム。
【請求項３４】
前記冠状体が前記座部分から延びるカップ部分を有し、前記カップ部分が前記留め部材の前記頭部を受け入れるための容器を画定し、前記留め部材の前記頭部が、前記連結部材内で前記留め部材を非枢動固定するように、前記カップ部分を係合させるための複数の隆線を有する、請求項３３に記載のシステム。
【請求項３５】
前記板部材の前記下側表面を前記冠状体の前記座部分に当てて堅く係合させるように、前記係止部材が前記板部材の前記上側表面と接触して配置され、前記留め部材が前記連結部材内で枢動する、請求項３１に記載のシステム。
【請求項３６】
前記板部材の前記開口が、前記板部材の前記縦軸に沿って長く延びた少なくとも１つの長穴を有する、請求項３０に記載のシステム。
【請求項３７】
前記上側表面が凹面になり、前記下側表面が凸面になるように、前記板部材が前記縦軸に沿って曲げられる、請求項３０に記載のシステム。
【請求項３８】
前記板部材が、細長の棒を受け入れるための通路を画定する棒受入部分を有する、請求項３０に記載のシステム。
【請求項３９】
前記少なくとも１つの開口が、前記通路に対して横方向に延びる細長の長穴である、請求項３８に記載のシステム。
【請求項４０】
前記留め部材の前記下側部分が、ネジ付きのシャフトを有する、請求項３０に記載のシステム。
【請求項４１】
前記留め部材が、前記頭部から前記ネジ付きシャフトの遠端先端を通って延びる内腔を有する、請求項４０に記載のシステム。
【請求項４２】
前記頭部が前記内腔と連通する工具係合用凹部を有する、請求項４１に記載のシステム。
【請求項４３】
前記連結部材が、前記柱を通って軸方向に延びて前記容器と連通する内側通路を有する、請求項３０に記載のシステム。
【請求項４４】
前記通路の少なくとも一部が駆動用工具を係合させるように構成される、請求項４３に記載のシステム。
【請求項４５】
前記留め部材の前記頭部が前記容器と連通する工具係合用凹部を有する、請求項４３に記載のシステム。
【請求項４６】
前記留め具組立体が、前記留め部材の前記頭部の周囲に配置される前記容器内で冠状体を有し、前記冠状体が前記連結部材の前記通路および前記留め部材の前記工具係合用凹部と位置合わせ可能な貫通孔を有する、請求項４５に記載のシステム。
【請求項４７】
留め具組立体において、
近端部および遠端部分を有する留め部材であって、前記遠端部分は、骨部材との係合のために、前記近端部から延びる、留め部材と、
前記留め部材の前記近端部に枢動連結される連結部材であって、前記連結部材は、縦軸に沿って延び、内側容器を画定する下側受入部分を含み、前記内側容器は、前記近端部を受け入れるために前記軸の周囲に延び、前記近端部から遠ざかる方向に前記軸に沿って前記受入部分から延びる柱を含み、前記連結部材は、少なくとも１つの軸方向に延びる開口窓を画定し、前記開口窓は前記連結部材の外部と連通する、連結部材と、
前記柱に係合可能な部材と、
前記連結部材の前記容器内で、前記留め部材の前記近端部に隣接して配置される冠状体であって、前記連結部材の前記柱に係合する前記部材と接触して配置するために、前記冠状体は軸方向に延びる座部分を含み、前記座部分は前記少なくとも１つの開口窓と連通する、冠状体と、を含む留め具組立体。
【請求項４８】
前記柱が、前記縦軸に沿って延びて前記受入部分の前記容器と連通する内側通路を有する、請求項４７に記載の組立体。
【請求項４９】
前記留め部材が前記遠端部分に沿ってネジを付けられたシャフト、および前記近端部で広げられた頭部を有する、請求項４７に記載の組立体。
【請求項５０】
前記頸部部分の周囲に配置され、前記連結部材と前記頭部の間に延びる保持用クリップをさらに有し、前記保持用クリップが遠端方向に配置した前記容器の開口の周囲に前記連結部材をネジ式に係合させるネジ付き部分を有し、前記留め部材の前記頭部の周囲に延び、前記連結部材内で前記留め部材を保持するために、前記頭部の通過を阻止するような大きさで作られて半径方向内側に延びるフランジを有する、請求項４９に記載の組立体。
【請求項５１】
前記頭部が、前記冠状体に向かう配置で、前記頭部の周囲を延びる複数の隆線を有する、請求項４９に記載の組立体。
【請求項５２】
前記部材が前記座部分に当てて固定されると、前記複数の隆線が前記冠状体を係合させ、前記隆線と前記冠状体との間の前記係合により、前記留め部材が前記連結部材に対して枢動することを阻止する、請求項５１に記載の組立体。
【請求項５３】
前記柱が当該柱の長さの大部分に沿って滑らかである、請求項４７に記載の組立体。
【請求項５４】
前記柱が当該柱の遠端部に隣接してネジ付きの輪郭を有し、前記部材が、前記座部分と接触して前記ネジ付き輪郭とネジ式に係合可能な係止部材である、請求項５３に記載の組立体。
【請求項５５】
前記冠状体の前記座部分がいくつかの軸方向に延びるアームを有し、前記連結部材の前記少なくとも１つの開口窓がいくつかの軸方向に延びる開口窓を有し、前記いくつかのアームの各々が、前記いくつかの開口窓のそれぞれ１つを貫通して配置される、請求項４７に記載の組立体。
【請求項５６】
前記冠状体が前記座部分から延びて遠端方向に開いたカップ部分を有し、前記カップ部分が前記留め部材の前記近端部を中に受け入れるための容器を有する、請求項５５に記載の組立体。
【請求項５７】
前記いくつかのアームが前記冠状体の周囲で円周方向に配分された少なくとも３つのアームを含み、前記いくつかの開口窓が前記連結部材の周囲で円周方向に配分された少なくとも３つの開口窓を含む、請求項５５に記載の組立体。
【請求項５８】
前記柱が円形の断面、およびその周囲に前記部材をネジ式に係合させるための外側ネジを有する、請求項４７に記載の組立体。
【請求項５９】
前記柱がネジ付き柱部分の遠端部の周囲で、放射状に延びる遠端の係合用部分を有し、前記係合用部分が前記下側受入部分の近端部開口とネジ式に係合可能である、請求項４７に記載の組立体。
【請求項６０】
前記少なくとも１つの開口窓が、前記柱の前記係合用部分を通って延びる、請求項５９に記載の組立体。
【請求項６１】
脊椎インプラントシステムにおいて、
少なくとも１つの開口を有するインプラントであって、前記開口が、上側表面と、対向する下側表面との間で、前記インプラントを貫通して延び、前記下側表面が、脊柱に向かって配置可能である、インプラントと、
前記インプラントに係合可能な留め具組立体と、を含んでおり、
前記留め具組立体は、
柱および受入部分を有する連結部材であって、前記柱が、前記少なくとも１つの開口を通して配置可能であり、前記受入部分が、前記平板の前記下側表面に沿って配置可能であり、前記受入部分が、容器および少なくとも１つの近端方向に開いた開口窓を有し、当該開口窓が前記容器と連通する、連結部材と、
頭部および遠端部分を有する留め部材であって、前記頭部が、前記受入部分の前記容器内で枢動可能に受け入れられ、前記遠端部分が、前記脊柱の骨構造と係合するために、前記頭部から延びる、留め部材と、
前記容器内で前記頭部を枢動捕捉するために、前記容器の遠端方向に配置した開口内で前記連結部材に係合可能な保持用クリップと、
前記容器内で前記留め部材の前記頭部の周囲に配置される冠状体であって、前記インプラントと接触して配置するために、前記冠状体は少なくとも１つの座部分を含み、前記座部分は、近端方向に開いた前記開口窓を通って延びる、冠状体と、
前記インプラントを前記座部分と接触して前記連結部材に固定するように、前記インプラントと接触して前記柱に係合可能な係止部材と、を有する脊椎インプラントシステム。
【請求項６２】
前記柱が前記縦軸に沿って延びて、前記受入部分の前記容器と連通する内側通路を有する、請求項６１に記載のシステム。
【請求項６３】
前記保持用クリップが、前記容器の前記遠端方向に配置した開口の周囲で前記連結部材をネジ式に係合させるネジ部分を有し、前記留め部材の前記頭部の周囲に延び、前記連結部材内で前記留め部材を保持するために、前記頭部の通過を阻止するような大きさで作られて、半径方向内側に延びるフランジを有する、請求項６１に記載のシステム。
【請求項６４】
前記冠状体の前記座部分がいくつかの軸方向に延びるアームを有し、前記連結部材の前記少なくとも１つの開口窓がいくつかの軸方向に延びる開口窓を有し、前記いくつかのアームの各々が、前記いくつかの開口窓のそれぞれ１つを貫通して配置される、請求項６１に記載のシステム。
【請求項６５】
前記いくつかのアームが、前記冠状体の周囲で円周方向に配分された少なくとも３つのアームを含み、前記いくつかの開口窓が、前記連結部材の周囲で円周方向に配分された少なくとも３つの開口窓を含む、請求項６４に記載のシステム。
【手続補正２】
【補正対象書類名】明細書
【補正対象項目名】発明の名称
【補正方法】変更
【補正の内容】
【発明の名称】脊椎インプラントのための多軸留め具組立体